(57)【要約】【課題】  ワーク乾燥室の外部に加熱器を加熱するための加熱源装置を別個に設ける必要がなく、また熱伝達が効率的となるワーク乾燥室の加熱装置に関する。【解決手段】  蒸気発生器と、ワーク乾燥室と、ワーク乾燥室を加熱する加熱器とを備え、溶剤蒸気を送り込むための送り込み配管と、吸引配管を配管接続し、この吸引配管を経由して真空ポンプを設置すると共に、ワーク乾燥室の底部付近に、液抜き配管を配管接続し、この液抜き配管を経由して残液受けを設置し、前記蒸気発生器から加熱器に溶剤蒸気を送り込むための送り込み配管を配管接続し、前記加熱器から蒸気発生器に加熱器の加熱に使用された溶剤蒸気を戻すための戻し配管を配管接続し、ワーク乾燥室に外気導入配管を配設し、前記吸引配管と残液受けとの間には、第２液抜き配管を配管接続し、前記蒸気戻し配管と残液受けとの間には、液戻し配管を配管接続したことを特徴とする。【選択図】  図１
0003111507.tif 000002
【実用新案登録請求の範囲】
【請求項１】
洗浄に使用した溶剤を洗浄機より回収して溶剤蒸気を生成する蒸気発生器と、ワーク乾燥室と、ワーク乾燥室を加熱する加熱器とを備え、前記蒸気発生器からワーク乾燥室に溶剤蒸気を送り込むための送り込み配管をバルブを介して配管接続し、前記ワーク乾燥室には、バルブを介して吸引配管を配管接続し、この吸引配管を経由してワーク乾燥室内を真空にするための真空ポンプを設置すると共に、ワーク乾燥室の底部付近に、バルブを介して液抜き配管を配管接続し、この液抜き配管を経由して残液受けを設置し、前記蒸気発生器から加熱器に溶剤蒸気を送り込むための送り込み配管をバルブを介して配管接続し、前記加熱器から蒸気発生器に加熱器の加熱に使用された溶剤蒸気を戻すための戻し配管を、バルブを介して配管接続し、ワーク乾燥室に外気導入配管をバルブを介して配設し、前記吸引配管と残液受けとの間には、バルブを介して第２液抜き配管を配管接続し、前記蒸気戻し配管と残液受けとの間には、バルブを介して液戻し配管を配管接続したことを特徴とするワーク乾燥室の加熱装置。
【請求項２】
洗浄機と蒸気発生器の間に、洗浄に使用された溶剤を蒸気発生器に送り込むための溶剤送り込み配管と、蒸気発生器で蒸留再生された再生溶剤を洗浄機に戻すための溶剤戻し配管を備えたことを特徴とする請求項１記載のワーク乾燥室の加熱装置。
【考案の詳細な説明】
【技術分野】
【０００１】
本考案はワーク乾燥室の加熱装置に係り、さらに詳しくは、金属、セラミックス、プラスチックス等の加工物（以下単に「ワーク」という）を収納して、そのワークの洗浄時に付着した有機溶剤等を、高温雰囲気下でワークから乾燥させるためのワーク乾燥室の加熱装置に関する。
【背景技術】
【０００２】
上記のワーク乾燥室４を加熱する装置としては、ワーク乾燥室４の周囲に加熱器５を配設し、図２に示すごとく、加熱器５の加熱源として熱媒体油を加熱して使用（例えば、温度調節が可能な加熱油槽１２を利用する）し、この加熱された熱媒体油をワーク乾燥室４の外壁面に沿わせて加熱油循環ポンプ１３で循環させる装置と、図３に示すごとく、加熱器５の加熱源としてスチーム１７を使用し、このスチーム１７をワーク乾燥室４の外壁面に沿わせてスチーム供給管１８やスチームトラップ１９を介して、加熱させる装置とがある。
【０００３】
上記したワーク乾燥室を加熱する装置は、いずれにしてもワーク乾燥室の加熱器を加熱するために加熱源装置を別個に設ける必要がある上、この加熱器のみの加熱ではワーク乾燥室内が真空であることより、その熱伝達は輻射伝達となり、この輻射伝達の熱伝達は非効率的でワークの加熱に極めて多くの時間を要するという結果となっていた。
【０００４】
【特許文献１】特公平６−１１４３５号公報
【考案の開示】
【考案が解決しようとする課題】
【０００５】
すなわち、この特許文献１に記載されたワーク乾燥室の加熱装置では、ワーク乾燥室の外部に加熱器を加熱するための加熱源装置を別個に設ける必要があるため、設備費がかさみ、かつその場合といえども熱伝達が非効率的となる等の問題点があった。
【課題を解決するための手段】
【０００６】
上記目的を達成するために、請求項１記載の考案は、洗浄に使用した溶剤を洗浄機より回収して溶剤蒸気を生成する蒸気発生器と、ワーク乾燥室と、ワーク乾燥室を加熱する加熱器とを備え、前記蒸気発生器からワーク乾燥室に溶剤蒸気を送り込むための送り込み配管をバルブを介して配管接続し、前記ワーク乾燥室には、バルブを介して吸引配管を配管接続し、この吸引配管を経由してワーク乾燥室内を真空にするための真空ポンプを設置すると共に、ワーク乾燥室の底部付近に、バルブを介して液抜き配管を配管接続し、この液抜き配管を経由して残液受けを設置し、前記蒸気発生器から加熱器に溶剤蒸気を送り込むための送り込み配管をバルブを介して配管接続し、前記加熱器から蒸気発生器に加熱器の加熱に使用された溶剤蒸気を戻すための戻し配管を、バルブを介して配管接続し、ワーク乾燥室に外気導入配管をバルブを介して配設し、前記吸引配管と残液受けとの間には、バルブを介して第２液抜き配管を配管接続し、前記蒸気戻し配管と残液受けとの間には、バルブを介して液戻し配管を配管接続したことを特徴とするワーク乾燥室の加熱装置である。
【０００７】
請求項２記載の考案は、洗浄機と蒸気発生器の間に、洗浄に使用された溶剤を蒸気発生器に送り込むための溶剤送り込み配管と、蒸気発生器で蒸留再生された再生溶剤を洗浄機に戻すための溶剤戻し配管を備えたことを特徴とする請求項１記載のワーク乾燥室の加熱装置である。
【考案の効果】
【０００８】
以上述べたように、請求項１のワーク乾燥室の加熱装置によれば、従来装置のように、加熱器の熱媒体として熱媒体油やスチーム等の特別の熱媒体を用いないので、新たな熱媒体のために別個の装置を設けなくても済み、これにより設備費の低減を図れるという効果があり、かつワーク乾燥室の加熱は従来備わっていた蒸気発生器からの溶剤蒸気を利用するようにしたので、熱伝達が効率的に行なえるようになる等の効果がある。
【０００９】
請求項２のワーク乾燥室の加熱装置によれば、上記の効果に加えて、再生溶剤を有効活用できるという効果がある。
【考案を実施するための最良の形態】
【００１０】
以下添付図面に基づいて、本考案に係るワーク乾燥室の加熱装置の実施例を詳説する。
図１は本考案装置の全体を示す構成図であり、図２は従来装置（加熱器の加熱源として、熱媒体油を使用する例）の全体を示す構成図、図３は従来装置（加熱器の加熱源として、スチームを使用する例）の全体を示す構成図である。
【実施例１】
【００１１】
本考案のワーク乾燥室の加熱装置１は、全体として、洗浄に使用した溶剤を洗浄機２より回収して溶剤蒸気を生成する蒸気発生器３と、ワーク乾燥室４と、ワーク乾燥室４を加熱する加熱器５とを備えている。なお蒸気発生器３としては、真空蒸留器を兼用させることも可能である。
【００１２】
まず蒸気発生器３からワーク乾燥室４に溶剤蒸気を送り込むための送り込み配管６が、その途中にバルブＶ１を介して蒸気発生器３とワーク乾燥室４間に配管接続されている。このため、必要なときはいつでもバルブＶ１を開いて、蒸気発生器３で生成された溶剤蒸気をワーク乾燥室４に送り込むことができ、その送り込みを停止するにはバルブＶ１を閉めればよい。
【００１３】
前記ワーク乾燥室４には、その途中にバルブＶ２を介した吸引配管７が設けられ、この吸引配管７には真空ポンプ８が接続されているので、バルブＶ２を開きこの真空ポンプ８を稼動させることで、ワーク乾燥室４を真空状態にしたり、真空状態を解消したりすることができる。なお、ポンプの種類により、ワーク乾燥室４内の蒸気回収方法は異なる。
【００１４】
またワーク乾燥室４の底部付近に、バルブＶ３を介した液抜き配管９を経由して残液受け１０を設置しているので、ワーク乾燥室４内の温度上昇後に、ワーク乾燥室４の底部に貯留した溶剤を、バルブＶ３を開いて残液受け１０に排出する。
【００１５】
さらに本考案では、前記蒸気発生器３から加熱器５に溶剤蒸気を送り込むための送り込み配管１１がバルブＶ４を介して配管接続されているので、必要なときはいつでもバルブＶ４を開いて、蒸気発生器３で生成された溶剤蒸気を加熱器５に送り込むことができ、その送り込みを停止するにはバルブＶ４を閉めればよい。
【００１６】
ついで本考案では、ワーク乾燥室４に外気導入配管２０をバルブＶ６を介して配設し、前記吸引配管７と残液受け１０との間には、バルブＶ７を介して第２液抜き配管２１を配管接続し、前記蒸気戻し配管１４と残液受け１０との間には、バルブＶ８を介して液戻し配管２２を配管接続している。
【００１７】
ここでワーク乾燥室４の乾燥工程を説明すると、ワークをワーク乾燥室４内に装入後、バルブＶ２を開き、真空ポンプ８を作動させてワーク乾燥室４内を減圧して真空にする。
ついでバルブＶ２を閉め、バルブＶ１を開いて送り込み配管６から溶剤蒸気をワーク乾燥室４内に導入する。このとき、バルブＶ４は開状態であり、バルブＶ５は閉状態である。
【００１８】
このようにすることで、ワーク乾燥室４と加熱器５は同圧になり、蒸気発生器３で発生する蒸気の圧力と平衡する。
ワーク乾燥室４内の温度が上昇して、ワークが加熱された後は、バルブＶ１を閉じ、バルブＶ３を開けることで、ワーク乾燥室４内に残存する液化した溶剤を液抜き配管９を経由して残液受け１０に抜き去る。この際、バルブ７を開け、真空ポンプ８により補助したり、あるいはバルブ８を開け、蒸気発生器３の真空系を利用できることは言うまでもない。
【００１９】
残液を除去した後、バルブＶ２を開け、真空ポンプ８を利用してワーク乾燥室４内の真空乾燥を行なう。
一連の動作の最中に、バルブＶ４は開状態を保ち、バルブＶ５はワーク乾燥室４が稼動しているときには閉になっている。ただし、最終真空乾燥時にバルブＶ４，Ｖ５の開閉を判断するには、そのワークの乾燥性（主に形状による）によって影響を受け、その選択がなされる。
ワークの乾燥後は、バルブＶ６を開き、外気導入配管２０を経由してワーク乾燥室４内に外気を導入してその内部を大気圧としてから、ワークをワーク乾燥室４から搬出する。
【００２０】
このようにして、加熱器５には蒸気発生器３で生成された溶剤蒸気が送り込まれるので、本考案においては従来装置のように加熱器５を加熱するための熱媒体を別に用意する必要は全くない。
【００２１】
本考案による加熱装置を採用することで、溶剤蒸気でワーク乾燥室４も加熱するので、ワーク乾燥室４の内壁に付着した油分が洗い流されることになり、常にワーク乾燥室内は清浄に保たれるようになる。
また本考案装置を用いてワーク乾燥室４を加熱した場合には、従来装置の欠点であるところの、加熱のしすぎにより、ワーク乾燥室４内部の油脂分の残存の危険性が低減される。
【００２２】
つぎに、本考案の加熱器５には、蒸気発生器３に加熱器の加熱に使用された溶剤蒸気を戻すための蒸気戻し配管１４が、バルブＶ５を介して配管接続されているので、加熱器５内の冷却された溶剤蒸気は、バルブＶ５を開くことで蒸気戻し配管１４を経由して蒸気発生器３に戻されることとなる。
【００２３】
さらに本考案では、蒸気発生器３と洗浄機２の間に、洗浄に使用された溶剤を蒸気発生器３に送り込むための溶剤送り込み配管１５と、蒸気発生器３で蒸留再生された再生溶剤を洗浄機２に戻すための溶剤戻し配管１６が備えられているので、蒸気発生器３と洗浄機２間の溶剤蒸気の移動が円滑に行なえる。
【産業上の利用可能性】
【００２４】
本考案のワーク乾燥室の加熱装置は、ワークを洗浄する装置を使用する業界において特に利用することが可能である。
【図面の簡単な説明】
【００２５】
【図１】本考案の全体を示す構成図である。
【図２】従来装置（加熱器の加熱源として、熱媒体油を使用する例）の全体を示す構成図である。
【図３】従来装置（加熱器の加熱源として、スチームを使用する例）の全体を示す構成図である。
【符号の説明】
【００２６】
１…ワーク乾燥室の加熱装置
２…洗浄機
３…蒸気発生器
４…ワーク乾燥室
５…加熱器
６、１１…送り込み配管
７…吸引配管
８…真空ポンプ
９…液抜き配管
１０…残液受け
１２…加熱油槽
１３…加熱油循環ポンプ
１４…蒸気戻し配管
１５…溶剤送り込み配管
１６…溶剤戻し配管
１７…スチーム
１８…スチーム供給管
１９…スチームトラップ
２０…外気導入配管
２１…第２液抜き配管
２２…液戻し配管
Ｖ１〜Ｖ８…バルブ
【図１】
0003111507.tif 000003
【図２】
0003111507.tif 000004
【図３】
0003111507.tif 000005